(57)【要約】画像記録後に移動された記録媒体に対し、容易且つより確実に定着処理を行うことの出来るインクジェット記録装置を提供する。インクを吐出する画像形成部（１２）と、吐出されたインクを着弾させる記録媒体（Ｐ）を搬送して画像形成部に対して相対移動させる第１搬送部（１１）と、記録媒体に着弾したインクを定着させる定着部（２４）と、定着させるインクが着弾した記録媒体を搬送して定着部に対して相対移動させる第２搬送部（２１）と、第２搬送部において記録媒体の搬送面からの記録媒体の浮き上がりをインクの着弾面の側から抑制する浮上抑制部としての第１端部押圧ローラー（２１５）及び第２端部押圧ローラー（２１６）と、を備え、浮上抑制部は、画像形成部が記録媒体に対してインクを着弾させる記録幅範囲を含まないように変更設定可能な抑制範囲において記録媒体の浮き上がりを抑制する。
2017086207.tif 000002
【特許請求の範囲】
【請求項１】
インクを吐出するノズルが設けられた画像記録部と、
吐出されたインクを着弾させる記録媒体を搬送して前記画像記録部に対して相対移動させる第１搬送部と、
記録媒体に着弾したインクを当該記録媒体に定着させる定着部と、
定着させるインクが着弾した記録媒体を搬送して前記定着部に対して相対移動させる第２搬送部と、
前記第２搬送部において記録媒体が載置される搬送面からの当該記録媒体の浮き上がりを前記インクの着弾面の側から抑制する浮上抑制部と、
を備え、
前記浮上抑制部は、前記搬送面内で前記第２搬送部による記録媒体の搬送方向に対して直交する幅方向について、前記画像記録部が記録媒体に対してインクを着弾させる記録幅範囲を含まないように変更設定可能な抑制範囲において当該記録媒体の浮き上がりを抑制する
ことを特徴とするインクジェット記録装置。
【請求項２】
前記搬送面からの浮き上がりが抑制された記録媒体を前記第２搬送部の前記搬送面に吸着させる吸着部を備えることを特徴とする請求項１記載のインクジェット記録装置。
【請求項３】
前記浮上抑制部は、前記抑制範囲の各々が前記搬送方向について前記吸着部による吸着開始位置から前記定着部による定着開始位置までの間に少なくとも一部含まれるように設けられていることを特徴とする請求項２記載のインクジェット記録装置。
【請求項４】
前記浮上抑制部による前記抑制範囲の設定を制御する抑制制御手段を備え、
前記第２搬送部は、記録媒体を当該記録媒体の幅方向サイズに応じた位置に配置して搬送し、
前記抑制制御手段は、前記抑制範囲を前記記録幅範囲を含まないように定める
ことを特徴とする請求項１〜３の何れか一項に記載のインクジェット記録装置。
【請求項５】
前記浮上抑制部は、予め定められた前記幅方向サイズに応じた前記抑制範囲で記録媒体の浮き上がりを抑制する抑制部材を複数の異なる前記幅方向サイズにそれぞれ応じた数有し、
前記抑制制御手段は、取得された前記幅方向サイズに応じた前記抑制部材を選択的に前記抑制範囲に応じた位置に配置して記録媒体の浮き上がりを抑制させる
ことを特徴とする請求項４記載のインクジェット記録装置。
【請求項６】
ユーザー操作を受け付ける操作受付部を備え、
前記幅方向サイズは、前記操作受付部により設定の受け付けが可能である
ことを特徴とする請求項４又は５記載のインクジェット記録装置。
【請求項７】
前記浮上抑制部は、前記記録媒体を前記搬送面に押し付けることを特徴とする請求項１〜６の何れか一項に記載のインクジェット記録装置。
【請求項８】
前記浮上抑制部は、前記幅方向に平行な回転軸の周りを回転自在に設けられたローラー部材を有することを特徴とする請求項７記載のインクジェット記録装置。
【請求項９】
前記画像記録部は、所定のエネルギー線により硬化するインクを吐出し、
前記定着部は、記録媒体に着弾したインクに対して前記所定のエネルギー線を照射する照射部を有する
ことを特徴とする請求項１〜８の何れか一項に記載のインクジェット記録装置。
【請求項１０】
前記第１搬送部の搬送面の温度を所定の温度範囲に保つ温度調節部を備えることを特徴とする請求項１〜９の何れか一項に記載のインクジェット記録装置。
【請求項１１】
インクが着弾した記録媒体の着弾面を前記第１搬送部の搬送面上で読み取る読取部を備えることを特徴とする請求項１〜１０の何れか一項に記載のインクジェット記録装置。
【発明の詳細な説明】
【技術分野】
【０００１】
この発明は、インクジェット記録装置に関する。
【背景技術】
【０００２】
従来、ノズルからインクを吐出して記録媒体上の所望の位置に着弾させていくことで画像を記録するインクジェット記録装置がある。このようなインクジェット記録装置には、種々の記録媒体に対してより精度良く画像を記録するために種々のインクが用いられている。また、インクジェット記録装置の中には、記録媒体に処理液を塗布したり、着弾したインクを確実に定着させるための処理を行ったりするものがある。【０００３】
このようなインクジェット記録装置において用いられるインクの一つとして、紫外線（ＵＶ光）が照射されることで硬化するＵＶ硬化型インクがある。このようなインクを用いるインクジェット記録装置では、記録媒体に対してインクを吐出、着弾させた後に記録媒体に対してＵＶ光の照射を行うことで、速やか且つ強固にインクを記録媒体上に定着させることが出来る。【０００４】
記録媒体やインクは、記録媒体上へのインクの広がり具合や浸透具合などの適切な制御のために、インクの着弾時において適切な温度範囲に保たれることが望ましい。しかしながら、従来のインクジェット記録装置において、インク吐出と乾燥や定着といった処理動作とが同一の搬送面上で行われると、乾燥や定着に係る構成の動作やインクの反応熱などの影響が搬送面を介して画像記録前の記録媒体に伝わって、当該記録媒体の温度が不適切になるという問題がある。特許文献１には、記録媒体が外周面に載置された状態で回転動作する搬送ドラムの当該外周面に吸着機構を設け、空気の吸引を行うことで記録媒体を適切な位置に維持させつつ画像記録を行うと共に、画像記録が行われた記録媒体の先端をチェーングリッパーで把持して吸着動作が行われている水平搬送面上で移動させながら乾燥やＵＶ光の照射を行うことで、搬送ドラムと異なる面上で乾燥定着動作を行うインクジェット記録装置が開示されている。
【先行技術文献】
【特許文献】
【０００５】
【特許文献１】特開２０１５−３６３３５号公報
【発明の概要】
【発明が解決しようとする課題】
【０００６】
しかしながら、画像記録後の記録媒体を搬送面から一度外して他の搬送面に移動させて定着動作を行う際に、記録媒体が湾曲するなどにより搬送面上に正常に載置されず、定着処理の質に問題が生じる場合があるという課題がある。【０００７】
この発明の目的は、画像記録後に移動された記録媒体に対し、容易且つより確実に定着処理を行うことの出来るインクジェット記録装置を提供することにある。
【課題を解決するための手段】
【０００８】
上記目的を達成するため、請求項１記載の発明は、
インクを吐出するノズルが設けられた画像記録部と、
吐出されたインクを着弾させる記録媒体を搬送して前記画像記録部に対して相対移動させる第１搬送部と、
記録媒体に着弾したインクを当該記録媒体に定着させる定着部と、
定着させるインクが着弾した記録媒体を搬送して前記定着部に対して相対移動させる第２搬送部と、
前記第２搬送部において記録媒体が載置される搬送面からの当該記録媒体の浮き上がりを前記インクの着弾面の側から抑制する浮上抑制部と、
を備え、
前記浮上抑制部は、前記搬送面内で前記第２搬送部による記録媒体の搬送方向に対して直交する幅方向について、前記画像記録部が記録媒体に対してインクを着弾させる記録幅範囲を含まないように変更設定可能な抑制範囲において当該記録媒体の浮き上がりを抑制する
ことを特徴とするインクジェット記録装置である。【０００９】
また、請求項２記載の発明は、請求項１記載のインクジェット記録装置において、
前記搬送面からの浮き上がりが抑制された記録媒体を前記第２搬送部の前記搬送面に吸着させる吸着部を備えることを特徴としている。【００１０】
また、請求項３記載の発明は、請求項２記載のインクジェット記録装置において、
前記浮上抑制部は、前記抑制範囲の各々が前記搬送方向について前記吸着部による吸着開始位置から前記定着部による定着開始位置までの間に少なくとも一部含まれるように設けられていることを特徴としている。【００１１】
また、請求項４記載の発明は、請求項１〜３の何れか一項に記載のインクジェット記録装置において、
前記浮上抑制部による前記抑制範囲の設定を制御する抑制制御手段を備え、
前記第２搬送部は、記録媒体を当該記録媒体の幅方向サイズに応じた位置に配置して搬送し、
前記抑制制御手段は、前記抑制範囲を前記記録幅範囲を含まないように定める
ことを特徴としている。【００１２】
また、請求項５記載の発明は、請求項４記載のインクジェット記録装置において、
前記浮上抑制部は、予め定められた前記幅方向サイズに応じた前記抑制範囲で記録媒体の浮き上がりを抑制する抑制部材を複数の異なる前記幅方向サイズにそれぞれ応じた数有し、
前記抑制制御手段は、取得された前記幅方向サイズに応じた前記抑制部材を選択的に前記抑制範囲に応じた位置に配置して記録媒体の浮き上がりを抑制させる
ことを特徴としている。【００１３】
また、請求項６記載の発明は、請求項４又は５記載のインクジェット記録装置において、
ユーザー操作を受け付ける操作受付部を備え、
前記幅方向サイズは、前記操作受付部により設定の受け付けが可能である
ことを特徴としている。【００１４】
また、請求項７記載の発明は、請求項１〜６の何れか一項に記載のインクジェット記録装置において、
前記浮上抑制部は、前記記録媒体を前記搬送面に押し付けることを特徴としている。【００１５】
また、請求項８記載の発明は、請求項７記載のインクジェット記録装置において、
前記浮上抑制部は、前記幅方向に平行な回転軸の周りを回転自在に設けられたローラー部材を有することを特徴としている。【００１６】
また、請求項９記載の発明は、請求項１〜８の何れか一項に記載のインクジェット記録装置において、
前記画像記録部は、所定のエネルギー線により硬化するインクを吐出し、
前記定着部は、記録媒体に着弾したインクに対して前記所定のエネルギー線を照射する照射部を有する
ことを特徴としている。【００１７】
また、請求項１０記載の発明は、請求項１〜９の何れか一項に記載のインクジェット記録装置において、
前記第１搬送部の搬送面の温度を所定の温度範囲に保つ温度調節部を備えることを特徴としている。【００１８】
また、請求項１１記載の発明は、請求項１〜１０の何れか一項に記載のインクジェット記録装置において、
インクが着弾した記録媒体の着弾面を前記第１搬送部の搬送面上で読み取る読取部を備えることを特徴としている。
【発明の効果】
【００１９】
本発明に従うと、インクジェット記録装置において、画像記録後に移動された記録媒体に対し、容易且つより確実に定着処理を行うことが出来るという効果がある。
【図面の簡単な説明】
【００２０】
【図１】本発明の実施形態のインクジェット記録装置を示す模式図である。
【図２】インクジェット記録装置の機能構成を示すブロック図である。
【図３Ａ】記録媒体と第１端部押圧ローラー及び第２端部押圧ローラーの位置関係を説明する図である。
【図３Ｂ】記録媒体と第１端部押圧ローラー及び第２端部押圧ローラーの位置関係を説明する図である。
【図４】インクジェット記録装置における第２押圧モーターの動作に係る搬送制御部による制御手順を示すフローチャートである。
【図５Ａ】第２搬送部の変形例１について説明する図である。
【図５Ｂ】第２搬送部の変形例２について説明する図である。
【図６Ａ】変形例３の第２搬送部を示す図である。
【図６Ｂ】変形例３の第２搬送部を示す図である。
【発明を実施するための形態】
【００２１】
以下、本発明の実施の形態を図面に基づいて説明する。
図１は、本実施形態のインクジェット記録装置１の全体構成を示す模式図である。
【００２２】
このインクジェット記録装置１は、ラインヘッドを有するシングルパス方式のものであって、第１搬送部１１と、画像形成部１２（画像記録部）と、読取部１３と、第２搬送部２１と、定着部２４と、冷却部２５と、受け渡し部３０と、制御部４０などを備えている。
【００２３】
第１搬送部１１は、図示略の媒体供給部から供給された記録媒体Ｐを受け取って第１搬送ベルト１１３の外側面上に載置し、画像形成部１２のノズル面と対向させながら移動（当該ノズル面に対して相対移動）させる。第１搬送部１１は、第１駆動ローラー１１１と、第１従動ローラー１１２と、第１搬送ベルト１１３と、第１吸引部１１４と、押圧ローラー１１５と、第１押圧モーター１１７などを備える。
【００２４】
第１駆動ローラー１１１は、第１搬送モーター１１８（図２参照）の回転動作に応じた回転速度で回転される。
第１搬送ベルト１１３は、無端状のベルトであって、内側面が第１駆動ローラー１１１と第１従動ローラー１１２とにより支持されて、第１駆動ローラー１１１及び第１従動ローラー１１２の回転に応じて周回移動することで、外側面（搬送面）上に載置された記録媒体を移動させる。また、第１搬送ベルト１１３は、ここでは、複数の孔部が設けられているなど、空気が通り抜け可能な構造又は材質であり、第１吸引部１１４の吸引動作により外側面側から内側面側に空気が流れることで、外側面上に載置された記録媒体Ｐが吸引されて固定される。
【００２５】
第１吸引部１１４は、第１搬送ベルト１１３の外側面上に載置された記録媒体Ｐを吸引する。第１吸引部１１４は、ここでは、第１吸引ファンとこの第１吸引ファンを回転動作させる第１吸引ファン駆動部１１４１（図２参照）とを備え、第１搬送ベルト１１３の内側面側で空気を排出することで外側面側から空気を吸い込む。或いは、第１吸引部１１４は、その他の構成、例えば、静電気などを発生させて記録媒体Ｐを一時的に第１搬送ベルト１１３の外側面に張り付かせる構成であっても良い。
【００２６】
押圧ローラー１１５は、媒体供給部から供給された記録媒体Ｐを第１搬送ベルト１１３の外側面に対して押し付ける。この押圧ローラー１１５の動作によって、記録媒体Ｐのしわ、弛みや巻き上がりなどが解消され、記録媒体Ｐの全体をより確実に第１吸引部１１４の吸引動作に従って第１搬送ベルト１１３の外側面上に固定させることが出来る。押圧ローラー１１５は、記録媒体Ｐの搬送方向に直交する幅方向に記録媒体Ｐの最大幅以上に亘って延在し、記録媒体Ｐの搬送移動と組み合わせて記録媒体Ｐの全面に対して押圧がなされる。
【００２７】
第１押圧モーター１１７は、押圧ローラー１１５に押圧動作を行わせる。第１押圧モーター１１７は、押圧ローラー１１５を第１搬送ベルト１１３の周回移動速度と等速で接触面が回転するように回転動作させることが可能である。また、第１押圧モーター１１７は、第１搬送ベルト１１３の外側面からの距離を変化させる方向（上下方向）に押圧ローラー１１５を移動させる動作を行い、記録媒体Ｐの厚さなどに応じた適切な圧力に保つ。また、このインクジェット記録装置１では、第１押圧モーター１１７は、押圧ローラー１１５を記録媒体Ｐから完全に離隔させる位置まで当該押圧ローラー１１５を上昇させることも可能となっている。
なお、押圧ローラー１１５の搬送方向上流側には、記録媒体Ｐの先頭（最下流側）の浮き上がりを低減させて第１搬送ベルト１１３へ向けるガイド部材が設けられていても良い。記録媒体Ｐの先頭（最下流側）が浮き上がっている場合、記録媒体Ｐが押圧ローラー１１５に引っかかって記録媒体Ｐの詰まり（ジャム）が発生する虞があるので、ガイド部材によりこれを防ぐことが出来る。
【００２８】
このインクジェット記録装置１では、第１搬送部１１によって搬送可能として予め定められた最大幅以下の範囲で複数のサイズ（幅）の記録媒体Ｐを適切な幅方向の位置に載置して搬送可能となっている。
【００２９】
画像形成部１２は、複数色（ここでは、ＣＭＹＫの４色）のインクを吐出するノズルがそれぞれ設けられたヘッドユニット１２Ｃ、１２Ｍ、１２Ｙ、１２Ｋを備える。ヘッドユニット１２Ｃ、１２Ｍ、１２Ｙ、１２Ｋは、それぞれ、ノズルの開口部が設けられたノズル面が第１搬送ベルト１１３の外側面と対向するように搬送方向に順番に配置されている。ヘッドユニット１２Ｃ、１２Ｍ、１２Ｙ、１２Ｋは、各々対応するインクを貯留する図示略のインクタンクからインクの供給を受け、制御部４０からの制御信号に応じた適切なタイミングでノズルからインクを吐出させる。ヘッドユニット１２Ｃ、１２Ｙ、１２Ｍ、１２Ｋは、ここでは、複数のノズル開口部がそれぞれ幅方向に所定の間隔で記録媒体Ｐの記録可能幅全体に亘って設けられているラインヘッドを有する。一のヘッドユニットに設けられた複数のノズル開口部は、搬送方向に異なる複数の位置に分割されて配置されていても良い。
【００３０】
ここでは、吐出されるインクは、ＵＶ硬化型のインクであって温度に応じてゾル状態とゲル状態との間で変化するものである。従って、画像形成部１２には、インクの温度をゾル状態に保つ適切な温度に維持するインクヒーター１２３（図２参照）が設けられている。また、インクジェット記録装置１は、第１搬送ベルト１１３やノズルから吐出されるインクが着弾する前の記録媒体を加熱、保温する搬送部ヒーター１１０（図２参照）を更に備える。
【００３１】
読取部１３は、画像形成部１２により吐出されたインクが着弾した記録媒体Ｐの表面を第１搬送ベルト１１３の外側面上（搬送面上）で撮像して制御部４０に撮像データを出力する。読取部１３は、ラインセンサーを備え、搬送方向に移動する記録媒体Ｐの表面を当該記録媒体Ｐの移動速度（搬送速度）に応じた適切な周期で撮像することで、記録媒体Ｐ上を二次元的に読み取ることが可能となっている。
【００３２】
受け渡し部３０は、第１搬送部１１から画像記録後の記録媒体Ｐを取得して第２搬送部２１に送る。受け渡し部３０は、単純に記録媒体Ｐを第１搬送ベルト１１３から剥離させるためのブレード状の構成のみを有していても良いし、記録媒体Ｐの移動タイミングに併せて先端部を把持して第２搬送部２１に送る爪部（グリッパー）などを有していても良い。
【００３３】
第２搬送部２１は、第１搬送部１１から受け渡し部３０を介して受け渡された記録媒体Ｐを、当該記録媒体Ｐの画像記録面（インクの着弾面）が定着部２４による定着動作を可能に保持しながら搬送して定着部２４に対して相対移動させ、定着後の記録媒体Ｐを図示略の媒体排出部に排出する。第２搬送部２１は、第２駆動ローラー２１１と、第２従動ローラー２１２と、第２搬送ベルト２１３と、第２吸引部２１４（吸着部）と、第１端部押圧ローラー２１５と、第２端部押圧ローラー２１６と、第２押圧モーター２１７などを備える。
【００３４】
第２駆動ローラー２１１は、第２搬送モーター２１８（図２参照）の回転動作に応じた回転速度で回転される。
第２搬送ベルト２１３は、無端状のベルトであって、内側面が第２駆動ローラー２１１と第２従動ローラー２１２とにより支持されて、第２駆動ローラー２１１及び第２従動ローラー２１２の回転に応じて周回移動することで、外側面（搬送面）上に載置された記録媒体Ｐを移動させる。また、第２搬送ベルト２１３は、ここでは、複数の孔部が設けられているなど、空気が通り抜け可能な構造又は材質であり、第２吸引部２１４の吸引動作により外側面側から内側面側に空気が流れることで、外側面上に載置された記録媒体Ｐが吸引されて当該外側面に対して固定される。
【００３５】
第２吸引部２１４は、第２搬送ベルト２１３の外側面上に載置された記録媒体Ｐを吸引する。第２吸引部２１４は、ここでは、排気を行う第２吸引ファンとこの第２吸引ファンを回転動作させる第２吸引ファン駆動部２１４１（図２参照）とを備え、第２搬送ベルト２１３の内側面側で空気を排出することで外側面側から空気を吸い込む。或いは、第２吸引部２１４は、その他の構成、例えば、静電気などを発生させて記録媒体Ｐを一時的に第２搬送ベルト２１３の外側面に張り付かせる構成であっても良い。
【００３６】
第１端部押圧ローラー２１５及び第２端部押圧ローラー２１６（両者まとめて抑制部材、ローラー部材）は、第２搬送ベルト２１３の外側面による記録媒体Ｐの搬送面内で当該記録媒体Ｐの搬送方向に直交する幅方向に延在する回転軸の周りを回転自在に設けられ、受け渡し部３０により受け渡された記録媒体Ｐの幅方向両端部を第２搬送ベルト２１３の外側面に対して押し付けることで、記録媒体Ｐの第２搬送ベルト２１３からの浮き上がりを抑制する。この第１端部押圧ローラー２１５及び第２端部押圧ローラー２１６の動作によって、記録媒体Ｐの巻き上がりなどが解消され、記録媒体Ｐの全体をより確実に第２吸引部２１４の吸引動作に従って第２搬送ベルト２１３の外側面上に固定させる。第１端部押圧ローラー２１５と第２端部押圧ローラー２１６は、各々又は連動して幅方向に位置（抑制範囲）を変更設定可能に構成されている。第１端部押圧ローラー２１５及び第２端部押圧ローラー２１６により記録媒体Ｐが押圧される位置は、搬送方向について第２吸引部２１４による吸引開始位置（吸着開始位置）から定着部２４による紫外線の照射範囲に入る位置（定着開始位置）までの間であることが好ましい。
【００３７】
第２押圧モーター２１７は、第１端部押圧ローラー２１５及び第２端部押圧ローラー２１６に押圧動作を行わせる。第２押圧モーター２１７は、第２搬送ベルト２１３の外側面からの距離を変化させる方向（上下方向）に第１端部押圧ローラー２１５及び第２端部押圧ローラー２１６を移動させる動作を行い、記録媒体Ｐの厚さなどに応じた適切な圧力に保ったり、第１端部押圧ローラー２１５及び第２端部押圧ローラー２１６が記録媒体Ｐから完全に離隔する位置まで当該第１端部押圧ローラー２１５及び第２端部押圧ローラー２１６を上昇させたりすることが出来る。また、第２押圧モーター２１７は、上述のように第１端部押圧ローラー２１５と第２端部押圧ローラー２１６の幅方向位置を変更させることが出来る。更に、第２押圧モーター２１７は、第１端部押圧ローラー２１５及び第２端部押圧ローラー２１６を第２搬送ベルト２１３の周回移動速度と等速でローラー面が回転するように回転動作させることが可能であっても良い。
第１端部押圧ローラー２１５、第２端部押圧ローラー２１６及び第２押圧モーター２１７により浮上抑制部が構成される。
【００３８】
定着部２４は、所定波長のエネルギー線、ここでは、紫外線（ＵＶ光）を照射して、画像形成部１２により記録媒体Ｐ上に吐出され、着弾したインクを硬化させる。定着部２４は、例えば、ＵＶ光を発する発光ダイオード（ＬＥＤ）（照射部）を有し、当該ＬＥＤに電圧を印加して電流を流すことで適宜な強度で発光させてＵＶ光を出射する。定着部２４は、第２搬送部２１の第２搬送ベルト２１３に記録媒体Ｐが載置され、当該記録媒体Ｐが第２吸引部２１４により吸引されている範囲内でＵＶ光が記録媒体Ｐ上のインクに照射されるように第２搬送ベルト２１３の外側面に近接して配置されている。
【００３９】
冷却部２５は、第２搬送部２１において第２搬送ベルト２１３の外側面上に記録媒体Ｐが載置されていない範囲内で当該第２搬送ベルト２１３を冷却する。冷却部２５は、例えば、冷却ファンを備え、第２搬送ベルト２１３に風を吹き付けて、定着部２４の発光ダイオードによる輻射熱やＵＶ光によるインクの定着に係る反応熱により温度が上昇したこの第２搬送ベルト２１３を空冷する。冷却部２５は、冷却ファンに対して冷風や外気を供給する構成を備えていても良い。
【００４０】
制御部４０は、インクジェット記録装置１の各部の動作を制御し、画像記録命令（ジョブ）による記録対象画像のデータ及び画像記録に係る設定に応じて記録媒体Ｐ上に画像を記録させる。
【００４１】
図２は、本実施形態のインクジェット記録装置１の機能構成を示すブロック図である。
インクジェット記録装置１は、制御部４０と、搬送制御部４１１と、第１搬送モーター１１８及び第２搬送モーター２１８と、押圧制御部４１２（抑制制御手段）と、第１押圧モーター１１７及び第２押圧モーター２１７と、吸引制御部４１４と、第１吸引ファン駆動部１１４１及び第２吸引ファン駆動部２１４１と、ヘッド制御部４２１及びヘッド駆動部１２１と、搬送部加熱制御部４１３と、搬送面温度計測部１１９及び搬送部ヒーター１１０（温度調節部）と、インク加熱制御部４２２と、インク温度計測部１２２及びインクヒーター１２３と、読取制御部４３及び読取部１３と、定着制御部４４及び定着部２４と、冷却制御部４５及び冷却ファン駆動部２５１と、操作表示部３１と、通信部３２などを備えている。
これらのうち、搬送制御部４１１、押圧制御部４１２、吸引制御部４１４、ヘッド制御部４２１、搬送部加熱制御部４１３、インク加熱制御部４２２、読取制御部４３、定着制御部４４及び冷却制御部４５をまとめて個別動作制御部と記す。これらの個別動作制御部は、制御部４０の各ハードウェア構成が併用されても良いし、別個に専用のＣＰＵ、メモリーや論理回路などが用意されていても良い。
【００４２】
制御部４０は、ＣＰＵ（Central Processing Unit）４０１と、ＲＡＭ（Random Access Memory）４０２と、記憶部４０３などを有する。制御部４０は、記憶部４０３から読み出された制御用のプログラム４０３ａや設定データをＲＡＭ４０２に一時記憶させて、当該一時記憶データに基づいてＣＰＵ４０１が制御処理を行う。記憶部４０３は、繰り返し読み書きが可能な不揮発性メモリーやＨＤＤ（Hard Disk Drive）などの補助記憶部を有する。記憶部４０３の一部には、読出しのみが可能なＲＯＭが用いられても良い。
【００４３】
制御部４０（ＣＰＵ４０１）は、インクジェット記録装置１の動作を統括制御する。制御部４０は、通信部３２を介して外部から取得された画像記録に係る命令及び当該記録画像データ、即ち、プリントジョブに基づいて、個別動作制御部を介してインクジェット記録装置１の各部の動作制御を行う。
【００４４】
操作表示部３１は、ユーザー操作を受け付けたり、ユーザーにステータス情報や動作メニューなどを示すための表示を行ったりする。操作表示部３１は、操作受付部としての操作検出部３１１と、表示部３１２とを有する。表示部３１２は、表示画面、例えば、ＬＣＤ（液晶ディスプレイ）を備え、制御部４０からの制御信号に応じて当該ＬＣＤに各種表示を行わせる。また、操作検出部３１１は、例えば、ＬＣＤ上に重ねて配置されたタッチセンサーを備え、ＬＣＤの表示位置と対応した位置座標における操作を検出して検出信号を制御部４０に出力する。
【００４５】
通信部３２は、ＰＣなどの外部機器との通信接続を行い、各種通信規格に従ってデータ通信を行うためのインターフェイスである。この通信部３２としては、例えば、ＬＡＮ接続用のネットワークカードや、ブルートゥース通信（登録商標：Bluetooth）などを利用した無線通信インターフェイスなどが挙げられる。或いは、通信部３２は、ＵＳＢによる外部機器との直接接続に係る接続端子及びドライバーなどであっても良い。制御部４０は、通信部３２を介して外部機器からプリントジョブやインクジェット記録装置１の各種制御設定データなどを取得する。
【００４６】
ヘッド駆動部１２１は、ヘッド制御部４２１からの制御信号や記録対象の画像データに応じて各ヘッドユニット１２Ｙ、１２Ｍ、１２Ｃ、１２Ｋに設けられた負荷（ピエゾ型のインクジェット記録装置における圧電素子やサーマル型のインクジェット記録装置における発熱体など）に適切なタイミングで電力を供給し、各ノズルの開口部からインクを吐出させる。
【００４７】
冷却ファン駆動部２５１は、冷却制御部４５の制御に基づいて冷却部２５の冷却ファンを適切な回転速度で回転動作させる。
第１吸引ファン駆動部１１４１は、吸引制御部４１４の制御に基づいて第１吸引部１１４の第１吸引ファンを適切な回転速度で回転動作させる。
第２吸引ファン駆動部２１４１は、吸引制御部４１４の制御に基づいて第２吸引部２１４の第２吸引ファンを適切な回転速度で回転動作させる。
【００４８】
搬送部ヒーター１１０は、搬送部加熱制御部４１３の制御に基づいてインク着弾時に記録媒体Ｐが適切な温度範囲となるように第１搬送部１１の搬送面を加熱する。インクヒーター１２３は、インク加熱制御部４２２の制御に基づいてインクタンクから各ヘッドユニット１２Ｙ、１２Ｍ、１２Ｃ、１２Ｋに供給されたインクがノズル開口部から吐出されるまでインク流路の内部でゲル化せず、適切な温度で維持されるようにインク流路やその周辺部材を加熱する。
搬送面温度計測部１１９及びインク温度計測部１２２は、これら搬送部ヒーター１１０及びインクヒーター１２３による加熱状況を適切に保つために第１搬送ベルト１１３又は当該第１搬送ベルト１１３上に載置された記録媒体Ｐの表面温度、及びインク流路又は当該インク流路内のインク温度をそれぞれ計測して、搬送部加熱制御部４１３及びインク加熱制御部４２２に各計測結果を出力する。
搬送面温度計測部１１９及び搬送部加熱制御部４１３は、温度調節部に含まれても良い。
【００４９】
搬送制御部４１１は、第１搬送モーター１１８及び第２搬送モーター２１８の動作を制御して記録媒体Ｐを適切な速度で搬送させ、各々画像記録動作と定着動作とを行わせる。
押圧制御部４１２は、第１押圧モーター１１７及び第２押圧モーター２１７の動作を制御して記録媒体Ｐが第１搬送部１１の第１搬送ベルト１１３及び第２搬送部２１の第２搬送ベルト２１３の外側面にそれぞれしわや浮き上がりを抑制させながら載置させる。
読取制御部４３は、読取部１３の動作を制御して、記録媒体Ｐの搬送タイミング及び速度に応じて適切な位置の記録画像を撮像させる。
定着制御部４４は、定着部２４の動作を制御して、記録媒体Ｐ上に記録された画像に係るインクを定着させる。
【００５０】
次に、本実施形態のインクジェット記録装置１における記録媒体Ｐへの画像記録動作及び定着動作について説明する。
本実施形態のインクジェット記録装置１では、記録媒体Ｐは、先ず第１搬送部１１により搬送されながら画像が記録され、次いで第２搬送部２１に受け渡されて、当該第２搬送部２１によって搬送されながら画像記録に用いられた記録媒体Ｐ上のインクが定着硬化される。
【００５１】
これら別個の第１搬送部１１及び第２搬送部２１に記録媒体Ｐがそれぞれ引き渡される際に、上述のように、第１搬送部１１では、押圧ローラー１１５により記録媒体Ｐ全面のしわや反りなどが伸ばされて第１吸引部１１４の動作に応じて第１搬送ベルト１１３の外側面に吸着保持される。
【００５２】
一方、第２搬送部２１では、インクが着弾した後未だ定着していない記録媒体Ｐが引き渡されるので、記録媒体Ｐの全面を押圧すると記録された画像が劣化し、また、押圧ローラーの表面が汚れる虞がある。そこで、この第２搬送部２１では、第１端部押圧ローラー２１５及び第２端部押圧ローラー２１６により幅方向両端の画像未記録領域のみが押圧されることで、画像を劣化させずに反りなどが延ばされて第２吸引部２１４の動作に応じて第２搬送ベルト２１３の外側面に吸着保持される。
【００５３】
上述のように、インクジェット記録装置１では、複数の幅の記録媒体を搬送可能であり、搬送される記録媒体の幅に応じて第１端部押圧ローラー２１５及び第２端部押圧ローラー２１６の位置が変更される。この変更動作としては、プリントジョブで設定された記録媒体のサイズ情報に応じて押圧制御部４１２が第２押圧モーター２１７を駆動する場合、及びユーザーが操作表示部３１を介して手動入力した記録媒体のサイズ情報（幅方向サイズ）に応じて押圧制御部４１２が第２押圧モーター２１７を駆動する場合が想定される。また、ユーザーが記録媒体のサイズ情報に応じて手動で第１端部押圧ローラー２１５及び第２端部押圧ローラー２１６の位置を移動させる場合が含まれても良い。
【００５４】
図３Ａ及び図３Ｂは、記録媒体Ｐと第１端部押圧ローラー２１５及び第２端部押圧ローラー２１６の位置関係を説明する図である。
図３Ａに示すように、記録媒体Ｐの記録面上方から見た場合に、第１端部押圧ローラー２１５及び第２端部押圧ローラー２１６は、記録媒体Ｐの幅方向に画像の記録幅範囲ＷＤ１と重複しない範囲で記録媒体Ｐの幅方向について異なる端部を各々押圧する。第１端部押圧ローラー２１５が記録媒体Ｐと重なる幅Ｗ１及び第２端部押圧ローラー２１６が記録媒体Ｐと重なる幅Ｗ２は、インクジェット記録装置１に応じて固定幅として、例えば、１ｃｍと定められることとすることが出来る。
【００５５】
図３Ｂに示すように、記録媒体のサイズ（幅）が変更された場合には、変更された記録媒体Ｐａに応じて設定される幅方向両端位置よりそれぞれ幅Ｗ１、Ｗ２内側の位置まで当該記録媒体Ｐａが押圧されるように第１端部押圧ローラー２１５及び第２端部押圧ローラー２１６のうち少なくとも一方の位置が移動され、画像の記録幅範囲ＷＤ２と重複しない範囲で記録媒体Ｐを押圧する。
【００５６】
図４は、インクジェット記録装置１における第２押圧モーター２１７の動作に係る搬送制御部４１１による制御手順を示すフローチャートである。
押圧制御処理は、上述のように、印刷ジョブの入力やユーザーによる操作表示部３１を介した入力操作により記録媒体Ｐの種別設定が取得された場合に開始される。
【００５７】
押圧制御処理が開始されると、搬送制御部４１１（ＣＰＵ）は、変更後の記録媒体の種別を取得する（ステップＳ１０１）。搬送制御部４１１は、記録媒体Ｐのサイズに応じて第１端部押圧ローラー２１５と第２端部押圧ローラー２１６の幅方向位置を記録幅範囲外に設定する（ステップＳ１０２）。また、搬送制御部４１１は、記録媒体Ｐの厚さ情報に応じて第１端部押圧ローラー２１５と第２端部押圧ローラー２１６の高さ位置を設定する（ステップＳ１０３）。
【００５８】
搬送制御部４１１は、第２搬送モーター２１８に制御信号を出力し、第１端部押圧ローラー２１５及び第２端部押圧ローラー２１６の位置を変更させる（ステップＳ１０４）。搬送制御部４１１は、記録媒体Ｐへの画像記録を開始するタイミングに基づいて第２搬送モーター２１８に制御信号を出力し、第１端部押圧ローラー２１５と第２端部押圧ローラー２１６とが適切な回転速度で回転するように動作を開始させる（ステップＳ１０５）。そして、搬送制御部４１１は、押圧制御処理を終了する。
【００５９】
以上のように、本実施形態のインクジェット記録装置１は、インクを吐出するノズルが設けられた画像形成部１２と、吐出されたインクを着弾させる記録媒体Ｐを搬送して画像形成部１２に対して相対移動させる第１搬送部１１と、記録媒体Ｐに着弾したインクを当該記録媒体Ｐに定着させる定着部２４と、定着させるインクが着弾した記録媒体Ｐを搬送して定着部２４に対して相対移動させる第２搬送部２１と、第２搬送部２１において記録媒体Ｐが載置される搬送面からの当該記録媒体Ｐの浮き上がりをインクの着弾面の側から抑制する浮上抑制部としての第１端部押圧ローラー２１５、第２端部押圧ローラー２１６及び第２押圧モーター２１７と、を備え、浮上抑制部は、搬送面内で第２搬送部２１による記録媒体Ｐの搬送方向に対して直交する幅方向について、画像形成部１２が記録媒体Ｐに対してインクを着弾させる記録幅範囲を含まないように変更設定可能な抑制範囲（Ｗ１、Ｗ２）において記録媒体Ｐの浮き上がりを抑制する。
このように、記録媒体Ｐ上のインクが吐出されていない記録幅範囲を含まない位置、即ち、両端で第１端部押圧ローラー２１５及び第２端部押圧ローラー２１６が記録媒体Ｐの浮き上がりを防止するので、容易な構成で記録媒体Ｐの湾曲などにより非一様な搬送状態となるのを防ぎ、一様に定着部２４による定着動作を行わせることが出来る。また、画像記録後の記録媒体Ｐの記録幅範囲に第１端部押圧ローラー２１５及び第２端部押圧ローラー２１６が接触しないので、定着されていないインクを乱さず、画質を悪化させない。また、これら第１端部押圧ローラー２１５及び第２端部押圧ローラー２１６の位置を記録媒体Ｐのサイズに応じて適宜調整することが出来るので、異なるサイズの記録媒体に対しても容易に同様の効果を得ることが出来る。そして、画像記録動作と定着動作とを異なる搬送部で行わせるので、定着動作に係る温度上昇が画像記録動作に対して悪影響を及ぼさない。
【００６０】
また、搬送面からの浮き上がりが抑制された記録媒体Ｐを第２搬送部２１の搬送面に吸着させる第２吸引部２１４を備えるので、浮き上がりが抑制された記録媒体Ｐをより確実に搬送面上に吸引固定させることが出来、これにより、より確実に一様な定着処理を行わせることが出来る。
【００６１】
また、浮上抑制部は、抑制範囲の各々が搬送方向について第２吸引部２１４による吸着開始位置から定着部２４による定着開始位置までの間に少なくとも一部含まれるように設けられているので、記録媒体Ｐの浮き上がりが確実に抑制されている間に吸着動作を開始させることが出来る。これにより、先頭で一回記録媒体Ｐの浮き上がりを抑制すれば、その後吸着範囲で容易且つ確実に搬送面上に載置固定した状態を維持させることが出来る。
【００６２】
また、浮上抑制部による抑制範囲の設定を制御する抑制制御手段としての押圧制御部４１２を備え、第２搬送部２１は、記録媒体Ｐを当該記録媒体Ｐの幅方向サイズに応じた位置に配置して搬送し、押圧制御部４１２は、抑制範囲を記録幅範囲を含まないように定める。このように、記録媒体Ｐのサイズが指定されれば当該サイズに応じて自動的に適切な位置に抑制範囲が設定されるので、更に容易且つ確実に記録媒体のサイズに応じた抑制範囲を自動設定することが出来る。
【００６３】
また、ユーザー操作を受け付ける操作表示部３１（操作検出部３１１）を備え、幅方向サイズは、操作表示部３１により設定の受け付けが可能である。従って、プリントジョブの設定などを読み込んで解析せず、また、プリントジョブでこのような設定をしなくても、ユーザーが直接適切なサイズ設定をした場合に当該設定に応じて確実に適切な抑制範囲で第１端部押圧ローラー２１５及び第２端部押圧ローラー２１６が記録媒体Ｐの浮き上がりを抑制する。
【００６４】
また、浮上抑制部は、記録媒体Ｐを搬送面に押し付ける。従って、第１端部押圧ローラー２１５及び第２端部押圧ローラー２１６を微妙な高さに維持する必要がなく、記録媒体Ｐの浮き上がりを完全に排除することが出来る。特に、画像記録がなされない端部が後処理で裁断される画像記録装置などでは、このような抑制範囲で記録媒体Ｐに多少傷や汚れが生じても問題が生じない。
【００６５】
また、浮上抑制部は、幅方向に平行な回転軸の周りを回転自在に設けられたローラー部材を有する。従って、記録媒体Ｐの搬送速度に従ってローラー部材が回転するので、抑制範囲で確実に浮き上がりを排除すると同時に、当該抑制範囲に傷などを生じさせ難い。また、ローラー部材と記録媒体Ｐとの間での摩擦を低減させるので、記録媒体Ｐの位置がずれたり詰まりを発生させたりというような問題の発生をより低下させることが出来る。
【００６６】
また、画像形成部１２は、ＵＶ硬化型インクを吐出し、定着部２４は、記録媒体Ｐに着弾したこのＵＶ硬化型インクに対してＵＶ光を照射するＬＥＤを有する。従って、インクが非常に強固に定着される。また、当該インクの定着に係る反応熱が第１搬送部１１上の記録媒体Ｐに伝わらないので、画像記録時に悪影響が生じない。
【００６７】
また、第１搬送部１１の搬送面の温度を所定の温度範囲に保つ搬送部ヒーター１１０を備える。上述のように、定着部２４の動作が第２搬送部２１上の記録媒体Ｐに対して行われるので、搬送部ヒーター１１０の温度制御が容易になる。特に、搬送面温度の上昇に伴い、加熱と冷却とを使い分ける複雑な制御が必要なく、また、過度な温度上昇を適切に抑えるための冷却により電力消費を増大させない。第２搬送部２１の側で冷却部２５による冷却動作は、温度を上げる制御が不要であり、また、温度管理も画像記録時に比較して厳密である必要が無いので、温度制御が容易となる。
【００６８】
また、インクが着弾した記録媒体の着弾面を第１搬送部１１の搬送面上で読み取る読取部１３を備える。このように、第２搬送部２１に記録媒体Ｐが引き渡される前に読み取り動作を行うことで、読取位置の正確な判別と処理が容易になる。
【００６９】
［変形例］
次に、上記実施形態のインクジェット記録装置１における第２搬送部２１の変形例について説明する。
【００７０】
図５Ａ及び図５Ｂは、第２搬送部２１の変形例について説明する図である。
図５Ａは、第２搬送部２１の変形例１における第１端部押圧ローラー２１５ａ及び第２端部押圧ローラー２１６ａを示す図である。
この変形例１の第２搬送部２１では、第１端部押圧ローラー２１５ａ及び第２端部押圧ローラー２１６ａは、回転半径が幅方向の位置に対して異なるクラウンローラー（太鼓ローラー）である。即ち、幅方向に記録媒体Ｐの中央側端部では、第１端部押圧ローラー２１５ａ及び第２端部押圧ローラー２１６ａのそれぞれ幅方向中央位置と比較して回転半径が小さい。
【００７１】
これにより、第１端部押圧ローラー２１５ａ及び第２端部押圧ローラー２１６ａは、記録媒体Ｐが第２搬送ベルト２１３の外側面（搬送面）から大きく浮き上がって第２吸引部２１４による吸着が不十分になる場合を除き、記録媒体Ｐを強く押圧せず、更には、記録媒体Ｐの浮き上がりが十分に小さい又は浮き上がりが無い場合には、接触させないこととすることが出来る。
【００７２】
図５Ｂは、変形例２の第２搬送部２１ｂの外観を示す斜視図である。
この第２搬送部２１ｂでは、第１端部押圧ローラー２１５及び第２端部押圧ローラー２１６の代わりに、回転しない第１端部押圧部２１５ｂ及び第２端部押圧部２１６ｂが設けられている。その他の構成は上記実施形態の第２搬送部２１と同一であり、同一の符号を付して説明を省略する。
【００７３】
ここでは、第２押圧モーター２１７は、第１端部押圧部２１５ｂ及び第２端部押圧部２１６ｂの上下方向及び幅方向の移動を行わせる一方、第１端部押圧部２１５ｂ及び第２端部押圧部２１６ｂを回転動作させない。従って、搬送される記録媒体Ｐは、第１端部押圧部２１５ｂ及び第２端部押圧部２１６ｂにおける進行方向上流側の凸面状曲面に沿って第２搬送ベルト２１３の外側面に沿うように導かれ、第２吸引部２１４により当該外側面に確実に吸着されて第１端部押圧部２１５ｂ及び第２端部押圧部２１６ｂの下面と接触しながら又は接触せずに通過する。
【００７４】
図６Ａ及び図６Ｂは、変形例３の第２搬送部２１ｃを示す図である。図６Ａは、第２搬送ベルト２１３上に載置された記録媒体Ｐの当該第２搬送ベルト２１３との接触面と反対面上方から見た平面図であり、図６Ｂは、第２駆動ローラー２１１の回転軸を延長した方向から見た正面図である。
【００７５】
この変形例３の第２搬送部２１ｃは、上記実施形態における第１端部押圧ローラー２１５及び第２端部押圧ローラー２１６に加えて、中幅第１端部押圧ローラー２１５ｃ、中幅第２端部押圧ローラー２１６ｃ、小幅第１端部押圧ローラー２１５ｄ及び小幅第２端部押圧ローラー２１６ｄが設けられている（以下まとめて端部押圧ローラー２１５〜２１５ｄ、２１６〜２１６ｄなどとも記す）。これら以外の構成は上記実施の形態と同一であり、同一の構成には同一の符号を付して説明を省略する。
【００７６】
この変形例３の第１端部押圧ローラー２１５及び第２端部押圧ローラー２１６は、その間隔が所定のサイズ（大幅サイズ）の記録媒体Ｐの幅に応じて固定されている。中幅第１端部押圧ローラー２１５ｃ及び中幅第２端部押圧ローラー２１６ｃの間隔は、上述の大幅サイズよりも小幅の記録媒体Ｐの幅（中幅サイズ）に応じて固定されている。また、小幅第１端部押圧ローラー２１５ｄ及び小幅第２端部押圧ローラー２１６ｄの間隔は、中幅サイズよりも小さい所定の記録媒体Ｐの幅（小幅サイズ）に応じて固定されている。
【００７７】
第２押圧モーター２１７は、第１端部押圧ローラー２１５及び第２端部押圧ローラー２１６のペア、中幅第１端部押圧ローラー２１５ｃ及び中幅第２端部押圧ローラー２１６ｃのペア、及び小幅第１端部押圧ローラー２１５ｄ及び小幅第２端部押圧ローラー２１６ｄのペアのうち何れか１つが記録媒体Ｐを第２搬送ベルト２１３の外側面に押し付けるように切り換え配置する。即ち、第２押圧モーター２１７は、これら端部押圧ローラー２１５〜２１５ｄ、２１６〜２１６ｄのうち、設定された記録媒体の幅に応じたペアにより選択的に記録媒体Ｐの両端を押圧させ、他のペアを退避させる。退避位置は、図６Ｂでは、記録媒体Ｐの上方として示しているが、スペースに応じて幅方向や搬送方向にも併せて移動させることが可能とされても良い。
【００７８】
以上のように、変形例３の第２搬送部２１ｃを有するインクジェット記録装置１では、浮上抑制部は、予め定められた幅方向サイズ（ここでは、大幅サイズ、中幅サイズ及び小幅サイズ）に応じた抑制範囲で記録媒体Ｐの浮き上がりを抑制する複数の異なる端部押圧ローラー２１５〜２１５ｄ、２１６〜２１６ｄをこれら幅方向サイズにそれぞれ応じた数有し、押圧制御部４１２は、取得された幅方向サイズに応じた端部押圧ローラーを選択的に抑制範囲に応じた位置に配置して記録媒体Ｐの浮き上がりを抑制させる。
従って、端部押圧ローラーの幅方向位置の微調整を行う必要がなく、単純に各幅方向サイズに応じた組の端部押圧ローラーを上下させれば良いだけになるので、駆動動作や制御動作が更に容易になる。
【００７９】
なお、本発明は、上記実施の形態に限られるものではなく、様々な変更が可能である。
例えば、上記実施の形態では、第２押圧モーター２１７が第１端部押圧ローラー２１５と第２端部押圧ローラー２１６の幅方向位置を移動させる動作を行ったが、ユーザーが手動で移動させることが可能であっても良い。この場合、記録媒体のサイズに応じて設定位置に目盛や標識などが設けられると良い。
【００８０】
また、上記実施の形態では、無端状ベルトを用いた搬送を行わせたが、回転ドラムの外周面に記録媒体を載置させて搬送を行う形態であっても良い。
【００８１】
また、上記実施の形態では、インクの定着動作として、ＵＶ光の照射を例に挙げて説明したが、可視光やその他のエネルギー線であっても良く、或いは、乾燥によって定着するタイプのインクである場合には、定着部は、温風を送風するなどの加熱機構を有するものであっても良い。
【００８２】
また、上記実施の形態では、記録媒体Ｐの幅方向両端２箇所において当該記録媒体Ｐのサイズに応じて定められた幅で記録媒体Ｐを押さえることとしたが、プリントジョブにおいて余白が設定されている場合には、当該余白に応じて押さえる幅を変化させても良い。また、割付印刷などの場合には、インクが着弾しない幅方向中央に押圧ローラーが配置されても良い。また、記録媒体Ｐの幅方向両端をそれぞれ跨いで抑制範囲が定められなくても良い。例えば、幅方向端部よりも若干内側に抑制範囲が定められても良い。また、記録媒体Ｐの湾曲の方向などが特定される場合には、記録幅範囲を含まない範囲で効果的に浮き上がりを抑制することが可能な位置が好ましく抑制範囲として設定され得る。
【００８３】
また、幅方向に所定の範囲に設定される抑制範囲の各々は、上記実施形態で示したものよりも搬送方向に長くても良いし、或いは、搬送方向に離隔した複数箇所に各々設定されても良い。また、搬送方向に十分に長く設定された場合には、必ずしも第２吸引部が設けられなくても記録媒体Ｐの平滑性を保ち、一様な定着動作を行うことが出来る。
【００８４】
また、上記実施の形態では、記録媒体Ｐが第１搬送部１１から受け渡し部３０を介して第２搬送部２１に受け渡される形態を示したが、直接受け渡される構成であっても良いし、更に他の構成を介して受け渡されても良い。いずれの場合でも、インクの着弾後定着動作が行われるまでの間、インクの着弾面にはインクジェット記録装置１００の構成が接触しないように受け渡しが行われる。
【００８５】
また、上記実施の形態では、記録媒体Ｐの厚さを考慮に入れて第１端部押圧ローラー２１５及び第２端部押圧ローラー２１６の位置を固定したが、画像記録対象の記録媒体の厚さが大きく異ならない場合などには、厚さを考慮しないで一定の位置としても良い。また、記録媒体Ｐの反発力などに応じて第１端部押圧ローラー２１５及び第２端部押圧ローラー２１６が上下方向に移動可能に配置されても良い。この場合、第１端部押圧ローラー２１５及び第２端部押圧ローラー２１６やこれらを支える軸などは、その自重による下向きの力により記録媒体Ｐの湾曲などによる浮き上がりを効果的に抑制できる程度の重量に設定される。
その他、上記実施の形態で示した構成要素、構造、配置や動作内容などの具体的な細部は、本発明の趣旨を逸脱しない範囲において適宜変更可能である。
【産業上の利用可能性】
【００８６】
この発明は、インクジェット記録装置に利用することが出来る。
【符号の説明】
【００８７】
１     インクジェット記録装置
１１   第１搬送部
１１０ 搬送部ヒーター
１１１ 第１駆動ローラー
１１２ 第１従動ローラー
１１３ 第１搬送ベルト
１１４ 第１吸引部
１１５ 押圧ローラー
１１７ 第１押圧モーター
１１８ 第１搬送モーター
１１９ 搬送面温度計測部
１２   画像形成部
１２Ｃ、１２Ｍ、１２Ｙ、１２Ｋ     ヘッドユニット
１２１ ヘッド駆動部
１２２ インク温度計測部
１２３ インクヒーター
１３   読取部
２１   第２搬送部
２１ｂ 第２搬送部
２１ｃ 第２搬送部
２１１ 第２駆動ローラー
２１２ 第２従動ローラー
２１３ 第２搬送ベルト
２１４ 第２吸引部
２１５ 第１端部押圧ローラー
２１５ａ      第１端部押圧ローラー
２１５ｂ      第１端部押圧部
２１５ｃ      中幅第１端部押圧ローラー
２１５ｄ      小幅第１端部押圧ローラー
２１６ 第２端部押圧ローラー
２１６ａ      第２端部押圧ローラー
２１６ｂ      第２端部押圧部
２１６ｃ      中幅第２端部押圧ローラー
２１６ｄ      小幅第２端部押圧ローラー
２１７ 第２押圧モーター
２１８ 第２搬送モーター
２２   定着部
２５   冷却部
２５１ 冷却ファン駆動部
３０   受け渡し部
３１   操作表示部
３１１ 操作検出部
３１２ 表示部
３２   通信部
４０   制御部
４０１ ＣＰＵ
４０２ ＲＡＭ
４０３ 記憶部
４０３ａ      プログラム
４１１ 搬送制御部
４１２ 押圧制御部
４１３ 搬送部加熱制御部
４１４ 吸引制御部
４２１ ヘッド制御部
４２２ インク加熱制御部
４３   読取制御部
４４   定着制御部
４５   冷却制御部
Ｐ     記録媒体
Ｐａ   記録媒体
【図１】
2017086207.tif 000003
【図２】
2017086207.tif 000004
【図３Ａ】
2017086207.tif 000005
【図３Ｂ】
2017086207.tif 000006
【図４】
2017086207.tif 000007
【図５Ａ】
2017086207.tif 000008
【図５Ｂ】
2017086207.tif 000009
【図６Ａ】
2017086207.tif 000010
【図６Ｂ】
2017086207.tif 000011
【国際調査報告】
2017086207.tif 000012
2017086207.tif 000013
2017086207.tif 000014
2017086207.tif 000015